(57)【特許請求の範囲】
【請求項１】
衛星通信を介してＩＰパケットを伝送する衛星通信システムに用いられる衛星通信用変復調装置であって、
地上側ネットワークから送られてくるＩＰパケットの優先度情報を記憶するアプリケーション定義テーブルと、
前記アプリケーション定義テーブルを参照して、前記ＩＰパケットの優先度情報を取得し、前記優先度情報を含むヘッダを前記ＩＰパケットに付加するパケットカプセル化手段と
を備えるデータ伝送アダプタと、
前記データ伝送アダプタから送られてくるカプセル化されたパケットを、前記優先度毎に格納するよう構成され、各優先度毎に格納可能容量が定められる優先バッファと、
前記カプセル化されたパケットのヘッダを参照して、当該パケットの優先度情報を取得し、前記優先度情報に基づき前記優先バッファへ格納するバッファ格納手段と、
前記優先バッファから、前記優先度に応じた比率で前記パケットを取出すバッファ取出手段と、
前記バッファ取出手段によって取出されたパケットを変調する変調手段と
を備える複数の変復調部と、
を有することを特徴とする衛星通信用変復調装置。
【請求項２】
前記変復調部は、
前記優先バッファに格納される優先度毎のパケット数を監視し、前記優先バッファのうち格納可能容量を超える優先度のパケットの中から、最先に格納されたパケットを破棄する監視手段をさらに備えることを特徴とする請求項１に記載の衛星通信用変復調装置。
【請求項３】
前記各変復調部は、
前記データ伝送アダプタから送られてくるパケットのトラヒック量を監視するトラヒック量監視手段をさらに備え、
前記バッファ格納手段は、前記トラヒック量監視手段により前記トラヒック量が所定量に満たない場合は、前記データ伝送アダプタから送られてくるカプセル化されたパケットを、送られてきた順に前記優先バッファへの格納し、
前記バッファ取出手段は、前記トラヒック量監視手段により前記トラヒック量が所定量に満たない場合は、前記優先バッファから前記優先バッファに格納された順にパケットを取出すことを特徴とする請求項１又は請求項２に記載の衛星通信用変復調装置。
【請求項４】
衛星通信を介してＩＰパケットを伝送する衛星通信システムに用いられ、送られてくるカプセル化されたパケットのヘッダを参照して当該パケットの優先度情報を取得し、前記優先度情報に基づき、優先度毎に格納容量が定められる優先バッファへ格納し、前記優先バッファから前記優先度に応じた比率でパケットを取出すバッファ取出す変復調部と、データ伝送アダプタと、で構成される衛星通信用変復調装置のデータ伝送アダプタであって、
地上側ネットワークから送られてくるＩＰパケットの優先度情報を記憶するアプリケーション定義テーブルと、
前記アプリケーション定義テーブルを参照して、前記ＩＰパケットの優先度情報を取得し、前記優先度情報を含むヘッダを前記ＩＰパケットに付加するパケットカプセル化手段と
を備えることを特徴とするデータ伝送アダプタ。
【請求項５】
衛星通信を介してＩＰパケットを伝送する衛星通信システムに用いられ、地上側ネットワークから送られてくるＩＰパケットの優先度情報を記憶するアプリケーション定義テーブルを参照して前記ＩＰパケットの優先度情報を取得し、前記優先度情報を含むヘッダを前記ＩＰパケットに付加するデータ伝送アダプタと、複数の変復調部と、で構成される衛星通信用変復調装置変復調部であって、
前記データ伝送アダプタから送られてくるカプセル化されたパケットを、前記優先度毎に格納するよう構成され、各優先度毎に格納可能容量が定められる優先バッファと、
前記カプセル化されたパケットのヘッダを参照して、当該パケットの優先度情報を取得し、前記優先度情報に基づき前記優先バッファへ格納するバッファ格納手段と、
前記優先バッファから、前記優先度に応じた比率で前記パケットを取出すバッファ取出手段と、
前記バッファ取出手段によって取出されたパケットを変調する変調手段と
を備えることを特徴とする変復調部。
【請求項６】
前記変復調部は、
前記優先バッファに格納される優先度毎のパケット数を監視し、前記優先バッファのうち格納可能容量を超える優先度のパケットの中から、最先に格納されたパケットを破棄する監視手段をさらに備えることを特徴とする請求項５に記載の変復調部。
【請求項７】
前記各変復調部は、
前記データ伝送アダプタから送られてくるパケットのトラヒック量を監視するトラヒック量監視手段をさらに備え、
前記バッファ格納手段は、前記トラヒック量監視手段により前記トラヒック量が所定量に満たない場合は、前記データ伝送アダプタから送られてくるカプセル化されたパケットを、送られてきた順に前記優先バッファへの格納し、
前記バッファ取出手段は、前記トラヒック量監視手段により前記トラヒック量が所定量に満たない場合は、前記優先バッファから前記優先バッファに格納された順にパケットを取出すことを特徴とする請求項５又は請求項６に記載の変復調部。
【発明の詳細な説明】
【技術分野】
【０００１】
本発明の実施形態は、例えば、衛星通信を介してＩＰパケットの伝送を行う衛星通信システムのＩＰパケットの転送制御に関する。
【背景技術】
【０００２】
衛星通信システムで用いられる衛星通信用変復調装置は、内部にデータ伝送アダプタを内蔵する衛星通信用変復調装置（以下、一体型衛星通信用変復調装置とする。）と、データ伝送アダプタが変復調部とは別に設けられる衛星通信用変復調装置（以下、分離型衛星通信用変復調装置とする。）とがある。
【０００３】
一体型衛星通信用変復調装置は、スループットの面で有利であるが、複数の変復調部に対する電力管理を一元化する点においては困難である。一方、分離型衛星通信用変復調装置は、スループットの面で不利だが、１つのデータ伝送アダプタが複数の変復調部を制御するようになっていることから、電力管理の一元化が容易であるという利点を持つ。
【０００４】
ＥｓＢｉｒｄネットワークにおけるＩＰデータ通信においては、「特定のアプリケーションのパケットを優先して疎通させ、他の優先度の低いパケットから廃棄する」機能が規定されている。しかし、この具体的な実装方法については規定が無く、実質的にベンダの裁量によっているのが現状である。
【０００５】
一体型衛星通信用変復調装置でパケットの優先制御機能を行う場合、１つの装置内で優先制御の判断とパケットの疎通または破棄の処理とを行うため、両機能の連携は比較的容易に実現できる。
【先行技術文献】
【特許文献】
【０００６】
【特許文献１】特開２００４−１７９６９３
【発明の概要】
【発明が解決しようとする課題】
【０００７】
しかしながら、分離型衛星通信用変復調装置でパケットの優先制御を行う場合、１つのデータ伝送アダプタで複数の変復調部を制御する仕組みであることから、優先制御の判断とパケットの疎通または破棄の処理とを連携させる優先制御機能を実現するのは容易ではない。
【０００８】
そこで、目的は、分離型衛星通信用変復調装置で特定のパケットを優先させることができる衛星通信用変復調装置、データ伝送アダプタ、及び変復調部を提供することにある。
【課題を解決するための手段】
【０００９】
上記目的を達成するための衛星通信用変復調装置は、衛星通信を介してＩＰパケットを伝送する衛星通信システムに用いられる衛星通信用変復調装置であって、地上側ネットワークから送られてくるＩＰパケットの優先度情報を記憶するアプリケーション定義テーブルと、前記アプリケーション定義テーブルを参照して、前記ＩＰパケットの優先度情報を取得し、前記優先度情報を含むヘッダを前記ＩＰパケットに付加するパケットカプセル化手段とを備えるデータ伝送アダプタと、前記データ伝送アダプタから送られてくるカプセル化されたパケットを、前記優先度毎に格納するよう構成され、各優先度毎に格納可能容量が定められる優先バッファと、前記カプセル化されたパケットのヘッダを参照して、当該パケットの優先度情報を取得し、前記優先度情報に基づき前記優先バッファへ格納するバッファ格納手段と、前記優先バッファから、前記優先度に応じた比率で前記パケットを取出すバッファ取出手段と、前記バッファ取出手段によって取出されたパケットを変調する変調手段とを備える複数の変復調部と、を有することを特徴とする。
【００１０】
また、上記目的を達成するためのデータ伝送アダプタは、衛星通信を介してＩＰパケットを伝送する衛星通信システムに用いられ、送られてくるカプセル化されたパケットのヘッダを参照して当該パケットの優先度情報を取得し、前記優先度情報に基づき、優先度毎に格納容量が定められる優先バッファへ格納し、前記優先バッファから前記優先度に応じた比率でパケットを取出すバッファ取出す変復調部と、データ伝送アダプタと、で構成される衛星通信用変復調装置のデータ伝送アダプタであって、地上側ネットワークから送られてくるＩＰパケットの優先度情報を記憶するアプリケーション定義テーブルと、前記アプリケーション定義テーブルを参照して、前記ＩＰパケットの優先度情報を取得し、前記優先度情報を含むヘッダを前記ＩＰパケットに付加するパケットカプセル化手段とを備えることを特徴とする。
【００１１】
また、上記目的を達成するための変復調部は、衛星通信を介してＩＰパケットを伝送する衛星通信システムに用いられ、地上側ネットワークから送られてくるＩＰパケットの優先度情報を記憶するアプリケーション定義テーブルを参照して前記ＩＰパケットの優先度情報を取得し、前記優先度情報を含むヘッダを前記ＩＰパケットに付加するデータ伝送アダプタと、複数の変復調部と、で構成される衛星通信用変復調装置の変復調部であって、前記データ伝送アダプタから送られてくるカプセル化されたパケットを、前記優先度毎に格納するよう構成され、各優先度毎に格納可能容量が定められる優先バッファと、前記カプセル化されたパケットのヘッダを参照して、当該パケットの優先度情報を取得し、前記優先度情報に基づき前記優先バッファへ格納するバッファ格納手段と、前記優先バッファから、前記優先度に応じた比率で前記パケットを取出すバッファ取出手段と、前記バッファ取出手段によって取出されたパケットを変調する変調手段とを備えることを特徴とする。
【図面の簡単な説明】
【００１２】
【図１】本発明の一実施の形態に係る衛星通信システムの構成を示すブロック図。
【図２】図１の衛星通信システムのデータ伝送アダプタ及び変復調部の構成を示すブロック図。
【発明を実施するための形態】
【００１３】
以下、図面を参照しながら、本実施形態に係るデータ伝送アダプタ及び衛星通信システムを説明する。
【００１４】
図１は、一実施の形態を示す衛星通信システムの構成を示すブロック図である。この衛星通信システムは、データ伝送アダプタ２０、複数の変復調部３１、３２、…、３ｎ（以下、総称して変復調部３０とする。）、送受信部４０、アンテナ５０、及び通信衛星６０を有する。
【００１５】
データ伝送アダプタ２０は、ＰＣ（パーソナルコンピュータ）等のホスト１０とイーサネット（登録商標）等の伝送路で接続され、データ伝送アダプタ２０と複数の変復調部３０との間はイーサネット（登録商標）等の伝送路で接続される。データ伝送アダプタ２０は、ホスト１０と衛星通信システムとを繋ぐインタフェースの役割を担う。
【００１６】
変復調部３０は、データ伝送アダプタ２０から送られてくるデータを変調して無線信号化し、その無線信号を送受信部４０に送る。送受信部４０から送られてくる無線信号を復調してデータ伝送アダプタ２０へ送る。各変復調部３０と送受信部４０との間は同軸ケーブルで接続される。
【００１７】
送受信部４０は、導波管等でアンテナ５０と接続される。送受信部４０は、各変復調部３０からのデータを内部の送信系ハイブリッドで合成し、無線信号を所定の電力へ増幅してアンテナ５０へ送る。アンテナ５０から送られてくる無線信号をＬＮＣ（低雑音増幅器）で増幅して、内部の受信系ハイブリッドで各変復調部３０へ無線信号を分配する。
【００１８】
図２は、衛星通信システムのデータ伝送アダプタ２０及び変復調部３０の構成を示すブロック図である。分離型衛星通信用変復調装置に優先制御を行うようにする場合、どのパケットをどの優先度に設定するかの優先判断をデータ伝送アダプタ２０で行い、優先度に応じたパケット転送処理を変復調部３０で行うように構成する。以下、図２を参照して詳細に説明する。
【００１９】
データ伝送アダプタ２０は、地上側Ethernet（登録商標）インタフェース（Ｉ／Ｆ）２０１、パケットカプセル化部２０２、アプリケーション定義テーブル２０３、及び衛星側Ethernet（登録商標）インタフェース（Ｉ／Ｆ）２０４を備える。
【００２０】
地上側Ethernet（登録商標）インタフェース２０１は、地上側のネットワークからＬＡＮケーブル等を介して入力されるＩＰパケットを受信する。受信されたＩＰパケットは、パケットカプセル化部２０２に送られる。
【００２１】
パケットカプセル化部２０２は、送られてきたＩＰパケットをカプセル化する。すなわち、パケットカプセル化部１０３は、ＩＰパケットの先頭に、データ伝送アダプタ間の専用ヘッダを付加する。この専用ヘッダには、当該カプセルのシーケンス番号や、データ伝送アダプタ２０−変復調部３０間の制御に必要となる各種情報が含まれる。また、この専用ヘッダには、特定のアプリケーションのパケットの優先度情報も含まれる。パケットカプセル化部２０３は、この優先度情報を専用ヘッダへ付加するために、アプリケーション定義テーブル２０３を参照して当該カプセルへ付加すべき優先度情報を取得する。
【００２２】
アプリケーション定義テーブル２０３は、宛先情報、送元情報、及び優先度が対応付けられて記憶される。宛先情報及び送元情報は、ＩＰアドレス／サブネット：ポート番号で表記され、宛先及び送元のＩＰアドレス／サブネット：ポート番号の組合せによってアプリケーションを特定している。また、優先度は、数値で表記される。これらのアプリケーション定義の情報は、パケットカプセル化部２０２に参照される。
【００２３】
パケットカプセル化部２０２は、カプセル化するＩＰパケットのＩＰヘッダを参照して、このＩＰパケットの宛先及び送元のＩＰアドレス／サブネット：ポート番号を参照し、アプリケーション定義テーブル２０３に記憶されたアプリケーション定義の情報と比較して、このＩＰパケットの優先度情報を取得する。パケットカプセル化部２０２は、取得した優先度情報を含む専用ヘッダを当該カプセルに付加する。
【００２４】
衛星側Ethernet（登録商標）インタフェース２０４は、複数の変復調部３１〜３ｎに接続されている。この接続は、データ伝送アダプタ２０と複数の変復調部３１〜３ｎとの間にスイッチを設けるようにしたり、衛星側Ethernet（登録商標）インタフェース２０４に複数のポートを設けて各ポートと各変復調部３１〜３ｎとを接続ようにしたりする。衛星側Ethernet（登録商標）インタフェース２０４から対応する変復調部３１〜３ｎへそれぞれカプセル化されたＩＰパケットが送出される。
【００２５】
データ伝送アダプタ２０は、上記の送信系の処理だけでなく、実際は受信系の処理も行う。すなわち、変復調部３０から送られたパケットは、衛星側Ethernet（登録商標）インタフェース２０４によって受信される。衛星側Ethernet（登録商標）インタフェース２０４で受信されたパケットは、図示しないパケットデカプセル化部で専用ヘッダを外してＩＰパケットにされ、そのＩＰパケットを地上側Ethernet（登録商標）インタフェース２０１に送られる。
【００２６】
また、変復調部３０は、Ethernet（登録商標）インタフェース（Ｉ／Ｆ）３０１、バッファ格納部３０２、優先バッファ３０３、バッファ取出部３０４、バッファ監視部３０５、トラヒック量監視部３０６、ＨＤＬＣ化部３０７、及び無線信号処理部３０８を備える。
【００２７】
Ethernet（登録商標）インタフェース（Ｉ／Ｆ）３０１は、データ伝送アダプタ２０から送られたカプセル化されたＩＰパケットを受信し、受信したパケットをバッファ格納部３０２に送る。
【００２８】
バッファ格納部３０２は、Ethernet（登録商標）インタフェース（Ｉ／Ｆ）３０１から送られてきたパケットのヘッダに記載された優先度を読み取り、その優先度に従って優先バッファ３０３へ格納する。また、バッファ格納部３０２は、優先バッファ３０３へ格納する場合、どのバッファにパケットを格納するかをバッファ監視部３０５に対して通知する。
【００２９】
優先バッファ３０３は、領域を分ける等によりパケットを優先度毎に一定数格納するように構成される。図２の例では、優先バッファ３０３は、バッファ１、バッファ２、バッファ３、…のように分けられ、優先度Ｘはバッファ１へ、優先度Ｙはバッファ２へ、優先度Ｚはバファ３へ格納される格納される。図２ではバッファ１には優先度ＸのパケットＡが格納されているが、次に優先度Ｘのパケットを格納する場合は、パケットＡの次に格納される。すなわち、優先度毎にパケットがキューイングされる。この優先バッファ３０３に格納されたパケットは、バッファ取出部３０４によって取出される。
【００３０】
バッファ取出部３０４は、変復調部３０から送受信部４０へ送出するタイミングに応じて優先バッファからパケットを取出し、次工程のＨＤＬＣ（High-level Data Link Control）化部へ送る。このとき、どの優先度のバッファからパケットを取り出すかについては、優先度の比に応じてタイミングが決められ、ＩＰパケットカプセルが転送される。
【００３１】
バッファ取出部３０４は、各ラウンドＲＤ（優先度順に各バッファについて判定式Ｄの計算を行い、一巡したらインクリメントされる値）において、式（１）で表されるように、この判定式Ｄ＝０となるバッファｉからパケットを取出す。
【数１】
0005723205.tif 000002
【００３２】
ここで、関数ＭＯＤ（Ａ，Ｂ）は、ＡをＢで割った余りを表し、Ｐｉはバッファｉにおける優先度値を表す。また、ＭＡＸ（Ｐｉ）の値は各々のバッファに定義された優先度値のうち最も高い優先度値を表す。ＩＮＴ（・）は、・の整数部のみを示す。
【００３３】
なお、Ｐｉはバッファｉにおける優先度値として整数を設定するが、設定者が直感的に判りやすいよう、所望の伝送レート値（整数）にしてもよい。例えば、バッファ１の優先度値を３２、バッファ２の優先度値を９６と設定し、伝送レート１２８ｋｂｐｓの回線にパケットを通す場合、バッファ１のパケットは３２ｋｂｐｓ、バッファ２のパケットは９６ｋｂｐｓ程度のスループットで通過させることを意味する。このようにすることで、優先度の高いパケットについて伝送レートを高くする等、パケット転送の優先制御を行うことができる。
【００３４】
バッファ監視部３０５は、優先バッファ３０４の各バッファに格納されるパケットの数を監視し、各バッファのパケットの格納容量を管理する。また、優先バッファへパケットが格納される場合に、バッファ監視部３０５は、バッファｉにパケットを格納することをバッファ格納部３０２から通知される。バッファ監視部３０５は、自身が管理する各バッファに格納されるパケットの容量とバッファ格納部３０２からの通知とから、優先バッファ３０４の各バッファに格納されるパケットの数がバッファｉの容量を超えるか否かを判断する。バッファｉの容量を超えると判断した場合は、そのバッファｉに格納されている一番古いパケットを破棄するよう優先バッファ３０３に対して指示する。破棄指示を受けた優先バッファ３０３は、対象のバッファｉの一番古いパケットを破棄する。
【００３５】
このようにすることで、優先制御の結果、滞留しやすくなった優先度の低いパケットが格納されるバッファのオーバーフローを防止することができる。なお、バッファｉからパケットを破棄する条件は、パケットｉの容量を超えて格納されると判断した場合だけでなく、パケットｉの容量に閾値を設定し、この閾値に基づきバッファｉの一番古いパケットを破棄するようにしてもよい。
【００３６】
トラヒック量監視部３０６は、Ethernet（登録商標）インタフェース（Ｉ／Ｆ）３０１からバッファ格納部３０２へ送られるパケットをカウントして、トラヒック量を監視する。トラヒック量監視部３０６は、トラヒックの閾値に基づき優先度制御を行うか否かを判断し、優先度制御を行うか否かをバッファ格納部３０２及びバッファ取出部３０４に対して制御する。
【００３７】
すなわち、優先度制御を行う場合は、上記のように、バッファ格納部３０２はパケットの専用ヘッダを参照して、専用ヘッダに記載される優先度に基づき優先バッファ３０３の優先度毎のバッファにパケットを格納する。また、バッファ取出部３０４は優先度合に応じてパケットを取出す。そして、優先度制御を行わない場合は、バッファ格納部３０２はパケットの専用ヘッダを参照せずに、受信した順に優先バッファ３０３に格納し、バッファ取出部３０４は優先バッファ３０３に格納された順に優先バッファ３０３からパケットを取出してＨＤＬＣ化部３０７へ送る。
【００３８】
このようにすることで、データ伝送量に応じて優先制御を行うか否かを切り替えることができ、回線帯域に対して少量のデータ伝送しか行われていなく優先制御をしなくてもよい場合に、優先制御の処理を行う負荷を減らすことができる。
【００３９】
ＨＤＬＣ化部３０７は、バッファ取出部３０４から送られてくるパケットをＨＤＬＣのデータ列の信号に変換し、変換された信号を無線信号処理部３０８へ送る。
【００４０】
無線信号処理部３０８は、衛星区間で伝送するためにＱＰＳＫ（Quadrature Phase Shift Keying）変調及び所定の帯域（例えば、１ＧＨｚ帯）へのアップコンバートを行う。アップコンバートした無線信号は、送受信部４０へ送る。
【００４１】
また、変復調部３０は、上記の送信系の処理（変調）だけでなく、実際は受信系の処理（復調）も行う。すなわち、送受信部４０から送られた無線信号は、図示しない受信系の無線信号処理部にて受信され、その受信された無線信号がデータに復調される。復調されたデータはIPパケットに格納された上で、Ethernet（登録商標）インタフェース３０１に送られ、Ethernet（登録商標）インタフェース３０１からデータ伝送アダプタ２０へ送出される。
【００４２】
このように、本実施形態による分離型衛星通信用変復調装置によれば、データ伝送アダプタ２０がどのパケットをどの優先度に設定するかの優先判断を行い、その優先度情報を含むパケットに付加して変復調部３０に送り、変復調部３０はデータ伝送アダプタ２０から送られてくるパケットを、優先度に応じて転送処理を行うようにしている。そのため、データ伝送アダプタが変復調部とは分離した構成の分離型衛星通信用変復調装置において、特定のパケットを優先させる制御を行うことができる。
【００４３】
また、本実施形態による分離型衛星通信用変復調装置によれば、変復調部３０の優先バッファ３０３に格納されている容量の監視を行うようにしているため、特定のパケットを優先して転送する制御を行うにあたって優先度が低いパケットの滞留が起こった場合のバッファのオーバーフローを防止することができる。
【００４４】
さらに、本実施形態による分離型衛星通信用変復調装置によれば、変復調部３０においてデータ伝送アダプタ２０から受信するパケットをカウントしてトラヒック量を監視し、トラヒック量が少ない場合には優先制御を行わないようにしているため、回線帯域に対して少量のデータ伝送しか行われていなく優先制御をしなくてもよい場合には、優先制御の処理を行う負荷を減らすことができる。
【００４５】
上記に加え、本実施形態による分離型衛星通信用変復調装置によれば、アプリケーション毎の優先度示すアプリケーション定義テーブル２０３を変復調部３０ではなくデータ伝送アダプタ２０にて記憶し、データ伝送アダプタ２０がパケットの優先度合を判定するようにしている。データ伝送アダプタ２０は、上記実施形態の処理を開始するにあたって、アプリケーション毎に必要な通信速度を確保できるような帯域の通信リンクをデータ伝送アダプタ間で予め形成することもでき、その場合、アプリケーション毎に必要な速度の情報をデータ伝送アダプタ２０で記憶しておくことになる。そのため、上記アプリケーション定義テーブル２０３とアプリケーション毎に必要な通信速度の情報とを１つのテーブルで纏めて記憶することが可能となり、設計上、有利になる。
【００４６】
本発明の実施形態は、以上の構成に限定されるものではなく、種々の変形が可能である。例えば、上記実施形態では、変復調部３０が備える優先バッファ３０３に格納されるパケットの滞留をバッファ監視部３０５が行っているが、バッファ格納部３０２がバッファ監視部３０５の機能も行うようにしてもよい。
【００４７】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１０…ホスト、２０…データ伝送アダプタ、３０，３１，３２，３ｎ…変復調部、４０…送受信部、５０…アンテナ、６０…通信衛星、２０１…地上側Ethernet（登録商標）インタフェース、２０２…パケットカプセル化部、２０３…アプリケーション定義テーブル、２０４…衛星側Ethernet（登録商標）インタフェース、３０１…Ethernet（登録商標）インタフェース、３０２…バッファ格納部、３０３…優先バッファ、３０４…バッファ取出部、３０５…バッファ監視部、３０６…トラヒック量監視部、３０７…ＨＤＬＣ化部、３０８…無線信号処理部。
【図１】
0005723205.tif 000003
【図２】
0005723205.tif 000004